(57)【特許請求の範囲】
【請求項１】
バ−ナ部と、このバ−ナ部によって加熱される温水熱交換器と、この温水熱交換器に接続される放熱器と、上記温水熱交換器と放熱器との間に接続されるシスタ−ンタンク及び循環ポンプとを備え、上記シスタ−ンタンクは温水の往き側に設けると共に、前記温水熱交換器とシスタ−ンタンクとを結ぶ熱交出口管の途中には、少なくともシスタ−ンタンクの空間部から水中まて延びるふくらみ部を設けた事を特徴とする温水熱交換器内蔵スト−ブ。
【請求項２】
上記シスタ−ンタンク内のふくらみ部で、該ふくらみ部内の水面より上方にはバイパス穴を設けた事を特徴とする請求項１記載の温水熱交換器内蔵スト−ブ。
【請求項３】
上記ふくらみ部のバイパス穴と対向するシスタ−ンタンク壁面を水面に向かって傾斜させた傾斜壁とした事を特徴とする請求項２記載の温水熱交換器内蔵スト−ブ。
【発明の詳細な説明】
【０００１】
【発明の属する技術分野】
この発明は、輻射及び対流によるストーブ単独運転と、簡易床暖房等の温水暖房との併用運転とが行える温水熱交換器内蔵ストーブに関するものである。
【０００２】
【従来の技術】
従来よりこの種のものに於いては、例えば特許第２９５２９５２号公報に開示されているように、温水熱交換器より低い位置にシスタ−ンタンクを備え、この温水熱交換器とシスタ−ンタンクとを結ぶ熱交出口管の先端部を、該シスタ−ンタンクの水面より上に開口しているので、スト−ブ単独運転時には、温水熱交換器内の循環水が落差でシスタ−ンタンク内に落水し貯水され、温水熱交換器内は空の状態となるのて、スト−ブ単独運転時の熱で沸騰する心配が無く安心して使用出来るものであった。
【０００３】
【発明が解決しようとする課題】
ところでこの従来のものでは、熱交出口管の先端部が、シスタ−ンタンクの水面より上に開口していることで、スト−ブと温水暖房の併用運転時に、温水熱交換器からシスタ−ンタンクへ流れる温水が落水してバチャバチャと言う耳障りな騒音を発生し、使用者に不信感を与えるものであった。
【０００４】
【課題を解決するための手段】
この発明はこの点に着目し上記課題を解決するため、特にその構成を、バ−ナ部と、このバ−ナ部によって加熱される温水熱交換器と、この温水熱交換器に接続される放熱器と、上記温水熱交換器と放熱器との間に接続されるシスタ−ンタンク及び循環ポンプとを備え、上記シスタ−ンタンクは温水の往き側に設けると共に、前記温水熱交換器とシスタ−ンタンクとを結ぶ熱交出口管の途中には、少なくともシスタ−ンタンクの空間部から水中まて延びるふくらみ部を設けたものである。
【０００５】
これによって、スト−ブと温水暖房の併用運転時には、ふくらみ部で循環温水の流速が落ちることと、水没中の端部が再び細管部となっていることでふくらみ部からの流出が遅れることで、該ふくらみ部内の水面が上がり温水の流出部となる上細管部との距離が短くなることによる相乗効果で、落水音が小さくなり、しかもふくらみ部は遮音壁となってシスタ−ンタンクとで二重に遮音して、更に耳障りな騒音を防止出来るものである。
【０００６】
又請求項２では、シスタ−ンタンク内のふくらみ部で、該ふくらみ部内の水面より上方にはバイパス穴を設けたことで、スト−ブ単独使用時に循環ポンプ停止で、バイパス穴からふくらみ部を介して温水熱交換器内に空気が流入し、温水熱交換器内の温水は落差で落水して来てシスタ−ンタンク内に貯水されるので、沸騰して沸騰音を発生する心配はないもりである。
【０００７】
又請求項３では、ふくらみ部のバイパス穴と対向するシスタ−ンタンク壁面を水面に向かって傾斜させた傾斜壁としたことで、温水暖房中に配管抵抗が低く循環流量が多くなる場合は、バイパス穴から循環温水が噴出するが、シスタ−ンタンク内の水面に直接落下せず、傾斜壁を伝って流れ落ちて落水音を発生することを防止出来るものである。
【０００８】
【発明の実施の形態】
次にこの発明に係る温水熱交換器内蔵ストーブを図面に示された一実施例に基づいて説明する。
１はポット式等のバーナ部で、燃焼ファン２からの燃焼空気の供給及び、燃料供給手段（図示せず）による燃料の供給を受けて、燃焼して燃焼ガスを発生するものである。
【０００９】
３はバーナ部１上に位置し、該バーナ部１と連通した耐熱透明体から成る燃焼筒で、上方には筒状の赤熱体４が垂下して備えられ燃焼ガスで加熱されて赤熱する。
５は燃焼筒３の後方を反射板６で囲んで形成した輻射室で、赤熱体４の赤熱状態を室内に反射させてストーブとして輻射暖房を行うものである。
【００１０】
７は燃焼筒３と連通口８を介して連通した分岐室で、一側のみに開口９を有する案内板１０で連通口８を覆うと共に、上面の左右両端にはそれぞれ長穴の第１、第２流出口１１、１２を備えている。
【００１１】
１３は前記分岐室７上に備えられた主熱交換器で、第１流出口１１と連通する第１集合部１４と、第２流出口１２と連通した通気室１５を仕切板１６で仕切って形成した第２集合部１７と、前記第１集合部１４と第２集合部１７間を結ぶ複数本の熱交パイプ１８とから構成され、燃焼ガスを流通させて周囲の空気を熱交換で加熱し、これを対流させることで、ストーブとして室内の暖房を行うものである。
【００１２】
又第２流出口１２と通気室１５は、燃焼ガスを主熱交換器１３を流通させずにバイパスするバイパス路１９を形成するものである。
【００１３】
２０は第２集合部１７と第１流通パイプ２１を介して連通すると共に、通気室１５と第２流通パイプ２２を介して連通したダンパー室で、反対側下方には燃焼ガスの流通で中を通る温水を加熱する温水熱交換器２３を収納した温水熱交換室２４が連通し、下方には屋外に突出する排気路２５が連通している。
【００１４】
前記ダンパー室２０内は４室に区画され、第２流通パイプ２２と連通した第１室２６には、下方で温水熱交換室２４の入口２７を有した第２室２８とを結ぶ第１開口２９を開閉する第１ダンパー３０が備えられ、又第１流通パイプ２１と連通した第３室３１の下方で、温水熱交換室２４の出口３２及び排気路２５を有した第４室３３には、前記第３室３１と第４室３３とを結ぶ第２開口３４と温水熱交換室２４の出口３２とを交互に開閉する第２ダンパー３５が備えられ、この第１、第２ダンパー３０、３５の２つでダンパーを構成するものである。
【００１５】
３６は第１ダンパー３０及び第２ダンパー３５を同時に駆動させるアクチエーター等から成る駆動手段で、第１ダンパー３０及び第２ダンパー３５を固定した１本の駆動ロット３７と、この駆動ロット３７と駆動手段３６とはクランク機構３８を介して連結されている。
【００１６】
３９は温水補給用で大気開放しているシスターンタンク４０を介して温水熱交換器２３と連通した循環ポンプで、温水熱交換器２３で高温に加熱された温水を床暖房用の放熱器４１に循環させ、放熱させた後の低温水を再び温水熱交換器２３に循環させて再加熱して、順次循環させ温水暖房とストーブ暖房とを併用して行うものである。
【００１７】
４２は温水熱交換器２３とシスタ−ンタンク４０とを連通する熱交出口管で、シスタ−ンタンク４０の上を貫通する手前から大径のふくらみ部４３を形成し、高さ方向の約半分を水中に水没させ上下にはそれぞれ上細管部４４と下細管部４５とが形成され、循環温水の流速をこのふくらみ部４３で落とさせると共に、シスタ−ンタンク４０の水面より高い水面をふくらみ部４３内に形成するものである。
又ふくらみ部４３の大きさは、細管部の１．３〜１．５倍の大きさとしているものである。
【００１８】
更に上記ふくらみ部４３の通常運転時の水面より高い位置には、水の表面張力で閉塞されない大きさのバイパス穴４６が一つ設けられ、シスタ−ンタンク４０内上方の空間部４７とふくらみ部４３内とを連通しており、又このバイパス穴４６と対向するシスタ−ンタンク４０の壁面は、該シスタ−ンタンク４０の規定水面に向かって下り傾斜した傾斜壁４８として、バイパス穴４６から万一噴出される温水を落水音を発生させることなく、水面に戻すようにしているものである。
【００１９】
次にこの発明一実施例の作動について説明する。
先ずストーブ単独運転では、図５、６に示す如く、第１ダンパー３０で第１開口２９を遮断することで、温水熱交換室２４の入口２７側を閉め第２流通パイプ２２の流通及びバイパス路１９の流通を止めると共に、第２ダンパー３５は第２開口３４を開放し温水熱交換室２４の出口３２を遮断することで、第１流通パイプ２１を排気路２５に連通させる。
【００２０】
この状態でバーナ部１を燃焼開始させれば、発生した燃焼ガスは燃焼筒３内を上昇して赤熱体４を赤熱状態にし、この赤熱状態を反射板６で反射させて輻射暖房を行い、同時に対流ファンを用いて対流暖房も行うものである。
その後、分岐室７に流入した燃焼ガスは、バイパス路１９が第１ダンパー３０で遮断されているので、第１流出口１１から主熱交換器１３内を流通して、外方の空気と熱交換し温風による対流暖房で室内の暖房を行い、ダンパー室２０より排気路２５を通って屋外に排出される。
【００２１】
次にストーブと床暖房等の温水暖房の併用運転では、図３、４に示す如く、第１ダンパー３０で第１開口２９を開成することで、温水熱交換室２４の入口２７を開口し第２流通パイプ２２及びバイパス路１９を連通すると共に、第２ダンパー３５を温水熱交換室２４の出口３２を開口させ、反対側で第２開口３４を閉成して、主熱交換器１３及び第１流通パイプ２１側の流通を遮断する。
【００２２】
この状態でバーナ部１を燃焼開始或いは、燃焼中ではそのまま燃焼を継続すれば、発生した燃焼ガスは燃焼筒３内を上昇して赤熱体４を赤熱状態にし、この赤熱状態を反射板６で反射させて輻射暖房を行い、同時に対流ファンを用いて対流暖房も行うものである。
その後、分岐室７に流入した燃焼ガスは、主熱交換器１３側が第２ダンパー３５で遮断されているので、第２流出口１２から通気室１５に入り、ここから第１流通パイプ２１を介してダンパー室２０に入り、温水熱交換室２４内を流通して排気路２５を通って排出される。
【００２３】
この時温水熱交換器２３は、温水熱交換室２４の入口２７から出口３２の間を流通する燃焼ガスと熱交換して、内方の温水が温度上昇され高温水となって循環ポンプ３９の駆動でシスタ−ンタンク４０を通り床暖房用の放熱器４１に循環され、ストーブによる輻射暖房及び対流暖房と共に床暖房による暖房も合わせて行われるものである。
【００２４】
従って併用運転では燃焼ガスを主熱交換器１３に流通させることなく、バイパス路１９を介して流通させ温水熱交換器２３と熱交換させるので、燃焼ガスの温度を低下させることなく高温の状態で熱交換させられ、効率の良い床暖房が行われ、しかも赤熱体４の輻射熱と対流ファンによってストーブとしての暖房も行われるものである。
【００２５】
又この温水暖房時、シスタ−ンタンク４０内ではふくらみ部４３で流速が落ちた循環温水が、流入口である上細管部４４に上昇して近づいた水面に向かって落水し、下細管部４５を通りシスタ−ンタンク４０、循環ポンプ３９を介して放熱器４１へと流通するものであり、この落水は流速が落ちていることと、水面が近いことでバチャバチャと言う大きな落水音はせず、又ふくらみ部４３とシスタ−ンタンク４０との二重の遮音で更に騒音の発生を防止出来、音を気にせず静かで快適な温水暖房が得られるものである。
【００２６】
次にスト−ブ単独運転の為に循環ポンプ３９を停止させれば、バイパス穴４６から流入した空気が温水熱交換器２３内の温水と置換し、シスタ−ンタンク４０内に落差で流下して収納されるので、温水熱交換器２３内は空の状態となり、スト−ブ単独運転しても温水熱交換器２３内の残留温水が沸騰すると言う問題点は解消され、スト−ブ単独運転も安心して利用出来るものである。
【００２７】
更に温水暖房の配管抵抗が低く循環流量が多くなる場合は、ふくらみ部４３の水位が更に上昇してするがこの時には、バイパス穴４６から循環温水が噴出して落水音が発生して騒音の原因になる危険があるが、この発明ではこのバイパス穴４６と対向するシスタ−ンタンク４０の壁面が傾斜壁４８となっているから、噴出温水はこの傾斜壁４８を伝って水面に落ちるので、落水音は殆どせず気にすることなく温水暖房を継続出来、極めて使用勝手が良いものである。
【００２８】
尚、この一実施例ではふくらみ部４３と上細管部４４とは一本の管で構成したが、これに限定されることなく、例えば別体で形成して連結するようにしても良く、又ふくらみ部４３をシスタ−ンタンク４０内に備えるようにしても良く、同様な効果を得ることが出来るものである。
【００２９】
【発明の効果】
以上のようにこの発明によれば、スト−ブと温水暖房の併用運転時には、ふくらみ部で循環温水の流速が落ちることと、水没中の端部が再び細管部となっていることでふくらみ部からの流出が遅れることで、該ふくらみ部内の水面が上がり温水の流出部となる上細管部との距離が短くなることによる相乗効果で、落水音が小さくなり、しかもふくらみ部は遮音壁となってシスタ−ンタンクとで二重に遮音して、更に耳障りな騒音を防止出来るものである。
【００３０】
又請求項２によれば、シスタ−ンタンク内のふくらみ部で、該ふくらみ部内の水面より上方にはバイパス穴を設けたことで、スト−ブ単独使用時に循環ポンプ停止で、バイパス穴からふくらみ部を介して温水熱交換器内に空気が流入し、温水熱交換器内の温水は落差で落水して来てシスタ−ンタンク内に貯水されるので、沸騰して沸騰音を発生する心配はないもりである。
【００３１】
又請求項３によりば、ふくらみ部のバイパス穴と対向するシスタ−ンタンク壁面を水面に向かって傾斜させた傾斜壁としたことで、温水暖房中に配管抵抗が低く循環流量が多くなる場合は、バイパス穴から循環温水が噴出するが、シスタ−ンタンク内の水面に直接落下せず、傾斜壁を伝って流れ落ちて落水音を発生することを防止出来るものである。
【図面の簡単な説明】
【図１】この発明の一実施例を付したストーブの概略断面図。
【図２】同水平断面図。
【図３】同ダンパー室の第１室と第２室で併用運転状態を示す説明図。
【図４】同ダンパー室の第３室と第４室で併用運転状態を示す説明図。
【図５】同ダンパー室の第１室と第２室でストーブ単独運転状態を示す説明図。
【図６】同ダンパー室の第３室と第４室でストーブ単独運転状態を示す説明図。
【図７】同ダンパー室の分解斜視図。
【図８】同要部の概略構成図。
【符号の説明】
１  バーナ部
２３  温水熱交換器
３９  循環ポンプ
４０  シスタ−ンタンク
４１  放熱器
４２  熱交出口管
４３  ふくらみ部
４６  バイパス穴
４７  空間部
４８  傾斜壁
【図１】
0003694269.tif 000002
【図２】
0003694269.tif 000003
【図３】
0003694269.tif 000004
【図４】
0003694269.tif 000005
【図５】
0003694269.tif 000006
【図６】
0003694269.tif 000007
【図７】
0003694269.tif 000008
【図８】
0003694269.tif 000009